Podtech/llm-jp-corpus-v4-ja_patent huggingface dataset:
【手続補正書】
【提出日】平成19年3月13日(2007.3.13)
【手続補正１】
【補正対象書類名】明細書
【補正対象項目名】００６６
【補正方法】変更
【補正の内容】
【００６６】
〔実施例１〜５、比較例１〜７〕
表２、表３、表４に示す配合比にて、難燃剤マスターバッチ樹脂組成物ＭＢ１〜ＭＢ４をポリスチレン系樹脂（Ｂ）（ポリスチレン系樹脂 Ｂ−１〜Ｂ−４）とペレットブレンドした後、下記条件にて成形し、試験片を作製した。そして、得られた試験片を用いて各種評価を行った。その結果を表２、表３、表４に示す。
【手続補正２】
【補正対象書類名】明細書
【補正対象項目名】００７４
【補正方法】変更
【補正の内容】
【００７４】
【表３】
2005281327.tif 000001
【手続補正３】
【補正対象書類名】明細書
【補正対象項目名】００７５
【補正方法】変更
【補正の内容】
【００７５】
【表４】
2005281327.tif 000002
【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
少なくとも遮光剤と樹脂と溶剤とを含有する黒色樹脂組成物において、遮光剤の最大粒径ｄｓが５０〜１０００ｎｍであり、かつ、遮光剤の比重ρｓが２．０〜６．０ｇ／ｃｍ3であり、かつ、黒色樹脂組成物の粘度μが４〜１００ｍＰａ・ｓであり、かつ、溶剤がプロピレングリコールターシャリーブチルエーテルまたは３−メトキシ−３−メチル−１−ブタノールを含有することを特徴とする黒色樹脂組成物。
【請求項２】
遮光材が金属酸化物であることを特徴とする，請求項１に記載の黒色樹脂組成物。
【請求項３】
金属酸化物がチタン酸窒化物であることを特徴とする，請求項２に記載の黒色樹脂組成物。
【請求項４】
黒色樹脂組成物の１０％水溶液での電気伝導度が２５℃で１０ｍＳ／ｍ以下であることを特徴とする、請求項１〜３のいずれかに記載の黒色樹脂組成物。
【請求項５】
樹脂がアクリル樹脂またはポリイミド樹脂であることを特徴とする、請求項１〜４のいずれかに記載の黒色樹脂組成物。
【請求項６】
降伏値が０．０１Ｐａ以下であることを特徴とする、請求項１〜５のいずれかに記載の黒色樹脂組成物。
【請求項７】
被膜に形成した際の光学濃度（ＯＤ値）が、膜厚１μｍあたり３．５以上であることを特徴とする、請求項１〜６のいずれかに記載の黒色樹脂組成物。
【請求項８】
請求項１〜７のいずれかに記載の黒色樹脂組成物からなる被膜を硬化させてなることを特徴とする樹脂ブラックマトリクス。
【請求項９】
請求項８に記載の樹脂ブラックマトリクスを用いたことを特徴とする液晶表示用カラーフィルター。
【請求項１０】
請求項９に記載の液晶表示用カラーフィルターを用いたことを特徴とする液晶表示装置。
【手続補正２】
【補正対象書類名】明細書
【補正対象項目名】００１０
【補正方法】変更
【補正の内容】
【００１０】
上記課題を解決するために、本発明に係る黒色樹脂組成物は、少なくとも遮光剤と樹脂と溶剤とを含有する黒色樹脂組成物において、遮光剤の最大粒径ｄｓが５０〜１０００ｎｍであり、かつ、遮光剤の比重ρｓが２．０〜６．０ｇ／ｃｍ3であり、かつ、黒色樹脂組成物の粘度μが４〜１００ｍＰａ・ｓであり、かつ、溶剤がプロピレングリコールターシャリーブチルエーテルまたは３−メトキシ−３−メチル−１−ブタノールを含有することを特徴とするものからなる。
【手続補正３】
【補正対象書類名】明細書
【補正対象項目名】００１３
【補正方法】変更
【補正の内容】
【００１３】
上記樹脂としては、例えばアクリル樹脂またはポリイミド樹脂を用いることができる。
【手続補正４】
【補正対象書類名】明細書
【補正対象項目名】００２８
【補正方法】変更
【補正の内容】
【００２８】
以上のような観点から本発明の黒色樹脂組成物に使用できる溶剤としては、具体的には、プロパノール、ブタノール、プロピレングリコール、ブタンジオール、ベンジルアルコール、エチレングリコールモノメチルエーテル、エチレングリコールエチルエーテル、エチレングリコールモノｎ−ブチルエーテル、ジエチレングリコールモノエチルエーテル、プロピレングリコールメチルエーテル、プロピレングリコールモノエチルエーテル、プロピレングリコールターシャリーブチルエーテル、３−メトキシ−３−メチル−１−ブタノール、ジプロピレングリコールメチルエーテル、プロピレングリコールｎ−プロピルエーテル、プロピレングリコールｎ−ブチルエーテル、ジプロピレングリコールジメチルエーテル等が挙げられる。とくに、粘度が高いこと、沸点が適切な範囲にあること、遮光剤の分散安定性に優れることから本発明ではプロピレングリコールターシャリーブチルエーテルまたは３−メトキシ−３−メチル−１−ブタノールを使用する。
【手続補正書】
【提出日】平成19年2月27日(2007.2.27)
【手続補正１】
【補正対象書類名】明細書
【補正対象項目名】００１３
【補正方法】変更
【補正の内容】
【００１３】
これは、プレス成形の際に、成形品の表面に雰囲気気体のガス溜まりを発生させないための制限事項である。例えば、凹面形状の成形面２１上に供給されたガラス素材（成形素材）の表面形状が、図１２に示すように、成形面２１の曲率以上の曲率半径を有する凸面形状であった場合、ガラス素材と成形面２１との間に閉空間Ｓが形成される。そして、この閉空間Ｓ内にガスが残存してしまうため、成形レンズにガス痕が生じ、形状不良の成形品となる。そこで、前記該制限事項を満たすように、成形型の形状に応じて、平板状、球状、両凸曲面状などのガラス素材を適宜使用することが求められる。
【手続補正２】
【補正対象書類名】明細書
【補正対象項目名】００２４
【補正方法】変更
【補正の内容】
【００２４】
また、本発明のモールドプレス成形装置は、前記ガイド手段が、前記落下経路で開閉動作する部材からなり、閉状態で前記成形素材を静止させ、その後の開動作によって前記成形素材を再落下させる構成としてある。
このように構成すれば、落下する成形素材をガイド手段で確実に受け止めることができるだけでなく、ガイド手段の開動作によって、姿勢を乱すことなく成形素材を再落下させることができる。
【手続補正３】
【補正対象書類名】明細書
【補正対象項目名】００４４
【補正方法】変更
【補正の内容】
【００４４】
ガイド手段５０は、落下経路においてガラス素材を一旦静止させた後、退避動作によって落下経路を開放し、ガラス素材を再落下させることが好ましい。このときに、ガラス素材に不規則な回転力を与えないように、ガイド手段５０は複数の部材からなり、これらが等方的に等しい速度で退避することが好ましい。例えば、位置修正手段４０に設けられる分割されたガイド部材４２のそれぞれの内周上部に、ガイド手段５０となる凸部を形成し、ガイド部材４２の開閉動作を利用してガラス素材の静止及び再落下を行うことができる。この場合、ガイド手段５０が閉じた状態で、落下中のガラス素材を、その一部との接触により受け止め、その後、ガイド手段５０が開いて落下経路から退避することにより、落下経路を開放してガラス素材を再落下させることができる。
【手続補正４】
【補正対象書類名】明細書
【補正対象項目名】００４５
【補正方法】変更
【補正の内容】
【００４５】
ガイド手段５０は、ガラス素材の周縁部分のみと接触することが好ましい。例えば、ガラス素材の周縁部を支持し、その後に再落下させる部材が、中空構造の段形状により構成されている場合、中空部分の最長径をＸ、ガラス素材の水平方向最外径をＹ、ガイド水平方向の開閉量をＺとしたとき、ガラス素材の水平方向最外径がＸ＜Ｙ＜Ｘ＋Ｚの関係を満たす構造とすることができる。このようにすると、ガイド手段５０がガラス素材を確実に静止させ、かつ確実に再落下させることができる。
【手続補正５】
【補正対象書類名】明細書
【補正対象項目名】００６４
【補正方法】変更
【補正の内容】
【００６４】
さらに、得ようとする光学素子が凸メニスカスレンズ、又は凹メニスカスレンズといったメニスカスレンズの場合、レンズの凹面側を第１面、凹面側を第２面とし、それぞれの曲率半径をＲＬ５、ＲＬ６とし、これらに対応するガラス素材の両曲面（平面であってもよく、この場合の曲率半径は∞とする）の曲率半径（又は、得ようとする光学素子の光軸に対応する部分を軸としたときの近軸曲率半径）をＲ５、Ｒ６とするとき、
Ｒ５面が凹面又は平面（曲率＝∞）、Ｒ６面が凸面であって、ＲＬ５≦Ｒ５、かつ、ＲＬ６≧Ｒ６
である場合、
Ｒ５面、Ｒ６面が凸面であって、ＲＬ６≧Ｒ６、かつ、ＲＬ６＜Ｒ５
である場合などが挙られる。
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
基板、マスクおよび該マスクを保持するマスクホルダからなるワークをキャリアプレートに装着し、該基板の表面に所定の物質を成膜する方法において、該マスクとマスクホルダの間に該基板の寸法より大きな開口部分を有する額縁状プレートを用いることを特徴とする成膜方法。
【請求項２】
マスクホルダが磁力でマスクを保持し、かつ額縁上のプレートが磁性体からなることを特徴とする請求項１に記載の成膜方法。
【請求項３】
基板、マスクおよび該マスクを保持するマスクホルダからなるワークをキャリアプレートに装着し、該基板の表面に所定の物質を成膜する装置において、該基板の寸法より大きな開口部分を有する額縁状プレートを用いることを特徴とする成膜装置。
【手続補正２】
【補正対象書類名】明細書
【補正対象項目名】０００７
【補正方法】変更
【補正の内容】
【０００７】
本発明は、上記目的を達成するために以下の構成を採用するものである。すなわち、本発明に係る成膜方法は、基板、マスクおよび該マスクを保持するマスクホルダからなるワークをキャリアプレートに装着し、該基板の表面に所定の物質を成膜する方法において、該マスクとマスクホルダの間に該基板の寸法より大きな開口部分を有する額縁状プレートを用いることを特徴とする成膜方法である。
【手続補正３】
【補正対象書類名】明細書
【補正対象項目名】０００８
【補正方法】変更
【補正の内容】
【０００８】
また、本発明の成膜方法の好ましい態様によれば、マスクホルダが磁力でマスクを保持し、かつ額縁上のプレートが磁性体からなることである。
【手続補正４】
【補正対象書類名】明細書
【補正対象項目名】０００９
【補正方法】削除
【補正の内容】
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
絵柄を変動表示する複数のリールと、前記各リールに対応し遊技者がそれぞれのリール毎に停止操作を行うための複数のストップボタンと、停止操作された前記各リールが表示する絵柄の表示態様に基づいて成立する入賞の確率が通常よりも高く設定される前記各リールの停止順序を抽選する内部抽選手段と、を備える遊技機であって、
前記各ストップボタンには数値表示素子がそれぞれ備えられ、
該各数値表示素子は、前記内部抽選手段が抽選した停止順序に従って、それぞれ対応する前記リールの当該停止順番号を表示することを特徴とする遊技機。
【請求項２】
絵柄を変動表示する複数のリールを有し停止操作された前記各リールが表示する絵柄の表示態様に基づいて入賞が成立する遊技機に搭載され、前記各リールに対応し遊技者がそれぞれのリール毎に停止操作を行うための複数のストップボタンを備えてなる遊技機用操作ボタン装置であって、
前記各ストップボタンには数値表示素子がそれぞれ備えられ、
前記数値表示素子は、当該遊技機に備えられる内部抽選手段により抽選され、入賞の確率が通常よりも高く設定される前記各リールの停止順序に従って、それぞれ対応する前記リールの当該停止順番号を表示することを特徴とする遊技機用操作ボタン装置。
【手続補正２】
【補正対象書類名】明細書
【補正対象項目名】０００６
【補正方法】変更
【補正の内容】
【０００６】
請求項１に記載の発明は、絵柄を変動表示する複数のリールと、前記各リールに対応し遊技者がそれぞれのリール毎に停止操作を行うための複数のストップボタンと、停止操作された前記各リールが表示する絵柄の表示態様に基づいて成立する入賞の確率が通常よりも高く設定される前記各リールの停止順序を抽選する内部抽選手段と、を備える遊技機であって、前記各ストップボタンには数値表示素子がそれぞれ備えられ、該各数値表示素子は、前記内部抽選手段が抽選した停止順序に従って、それぞれ対応する前記リールの当該停止順番号を表示することを特徴とする。
【手続補正３】
【補正対象書類名】明細書
【補正対象項目名】０００７
【補正方法】変更
【補正の内容】
【０００７】
請求項１に記載の遊技機によれば、内部抽選手段が抽選した各リールの停止順番号を、各リールに対応するストップボタンに備えられた数値表示素子が表示する。このため、入賞の確率が通常よりも高く設定されたストップボタンの操作順序を遊技者が容易に認識することができる。したがって、遊技操作について熟練した技術を有していない遊技者でも興趣を損なうことなく遊技を楽しむことができる。
【手続補正４】
【補正対象書類名】明細書
【補正対象項目名】０００８
【補正方法】変更
【補正の内容】
【０００８】
請求項２に記載の発明は、絵柄を変動表示する複数のリールを有し停止操作された前記各リールが表示する絵柄の表示態様に基づいて入賞が成立する遊技機に搭載され、前記各リールに対応し遊技者がそれぞれのリール毎に停止操作を行うための複数のストップボタンを備えてなる遊技機用操作ボタン装置であって、前記各ストップボタンには数値表示素子がそれぞれ備えられ、前記数値表示素子は、当該遊技機に備えられる内部抽選手段により抽選され、入賞の確率が通常よりも高く設定される前記各リールの停止順序に従って、それぞれ対応する前記リールの当該停止順番号を表示することを特徴とする。
【手続補正５】
【補正対象書類名】明細書
【補正対象項目名】０００９
【補正方法】変更
【補正の内容】
【０００９】
請求項２に記載の遊技機用操作ボタン装置によれば、遊技機の内部抽選手段が抽選した各リールの停止順番号を、各リールに対応するストップボタンに備えられた数値表示素子が表示する。このため、入賞の確率が通常よりも高く設定されたストップボタンの操作順序を遊技者が容易に認識することができる。したがって、遊技操作について熟練した技術を有していない遊技者でも興趣を損なうことなく遊技を楽しむことができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
請求項１又は２に記載の発明によれば、各ストップボタンに備えられた数値表示素子が当該ストップボタンに関連する数値情報を遊技者に表示することで、当該遊技機の操作性又は遊技者の利便性等が向上する。
また、遊技機の内部抽選手段が抽選した、入賞の確率が通常よりも高く設定された各リールの停止順番号をそれぞれ対応する数値表示素子が表示することで、遊技操作について熟練した技術を有していない遊技者でも興趣を損なうことなく遊技を楽しむことができるようになる。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
始動条件の成立に基づいて、遊技状態の変化する遊技機において、
遊技者により操作される単一の操作手段と、
前記操作手段を操作したときの遊技状態を判別する判別手段と、
前記判別手段により判別された遊技状態に応じて前記操作手段により操作できる機能を切り換える切換手段と
を備え、
前記遊技状態は、始動条件の成立に基づいて、表示手段に表示される図柄が変動する表示演出の変動時間を短縮する時間短縮可能状態と、遊技者に大当たりを期待させる複数種類のリーチ演出のうち、いずれかを抽選により選択できる抽選状態であり、
さらに、前記表示手段に変動表示、リーチ演出、およびリーチ演出を抽選する抽選演出などを表示制御する表示制御手段を備え、
前記判別手段は、前記操作手段を操作したときに時間短縮可能状態または抽選状態のいずれかを判別し、
前記操作手段は、前記判別手段の結果に応じて、前記表示制御手段に表示演出の表示時間を短縮させるように指令する時間短縮指示手段としての機能、または抽選演出させる抽選手段として機能するように構成したことを特徴とする遊技機。
【請求項２】
請求項１に記載の遊技機において、
始動条件成立に基づいて、前記表示手段に表示させる前記変動表示の変動パターンを決定し、この決定した変動パターンの実行を前記表示制御手段に指示する主制御手段を備え、
前記表示制御手段は、前記主制御手段からの指示に基づいて、前記主制御手段で決定された前記変動パターンを前記表示手段に表示させるように表示制御し、
前記操作手段を操作したときの遊技状態を判別する判別手段を前記主制御手段に備え、
前記判別手段の判別結果に応じて前記操作手段を操作する機能を切り換える切換手段を前記主制御手段と前記表示制御手段とに備えたことを特徴とする遊技機。
【請求項３】
請求項２に記載の遊技機において、
前記主制御手段は、図柄の変動表示中に遊技者により前記操作手段が操作されたことを検出した検出信号を前記判別手段に送り、判別手段は、この信号を受信した時点の遊技状態を判別し、判別の結果、
（イ）時間短縮可能状態であれば、主制御手段から変動表示の表示時間を短縮する指令を前記表示制御手段に送り、
前記表示制御手段は、前記主制御手段から送られてきた前記指令に基づいて変動中の変動表示の表示時間を短縮し、特定の停止図柄を確定表示する、
（ロ）抽選状態であれば、主制御手段は操作手段の操作を無視し、
表示制御手段は、操作手段の操作を許可し、操作手段の操作により送られる信号に応じて、複数種類のリーチ演出の中からいずれかのリーチ演出を選択し、選択した結果に応じて表示制御手段がリーチ演出を表示制御することを特徴とする遊技機。
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
始動条件の成立に基づいて、絵柄の変動による表示演出をする表示手段と、前記表示手段の表示演出を制御する表示制御手段とを備えた遊技機において、
遊技者による当該遊技機に対する特定動作を検出する動作検出手段と、
前記動作検出手段により特定動作が検出されたときに、前記表示制御手段に表示演出の表示時間を短縮させるように指令する時間短縮指示手段とを備え、
前記表示制御手段は、絵柄の変動が開始されている最中に前記時間短縮指示手段からの指令を受けたときに、表示時間を短縮する表示演出を開始し、変動中の絵柄の停止速度を調節しながら適時に停止させるように構成し、
前記表示演出は、始動条件の成立に基づいて絵柄の変動表示を開始し、その後に特定の絵柄で停止して結果を表示する変動表示演出であり、
前記表示手段は、前記変動表示演出を表示する識別情報変動表示手段であることを特徴とする遊技機。
【請求項２】
請求項１に記載の遊技機において、
表示時間の短縮による変動表示中の絵柄を停止させる速度の調節は、前記時間短縮指示手段から指令を受けた時点において、変動表示させる絵柄と関連付けられた時間情報を読み取り、停止させる絵柄を表示するまでの時間を演算手段により求めるように構成したことを特徴とする遊技機。
【請求項３】
請求項１または請求項２に記載の遊技機において、
始動条件成立に基づいて、前記識別情報変動表示手段に表示させる前記変動表示の変動パターンを決定し、この決定した変動パターンの実行を前記表示制御手段に指示する主制御手段を備え、
前記表示制御手段は、前記主制御手段からの指示に基づいて、前記主制御手段で決定された前記変動パターンを前記識別情報変動表示手段に表示させるように表示制御し、
前記時間短縮指示手段と前記演算手段を前記主制御手段に備えたことを特徴とする遊技機。
【請求項４】
請求項３に記載の遊技機において、
前記主制御手段は、絵柄の変動表示中に動作検出手段によって遊技者の特定動作を検出したときに、変動中の変動表示の表示時間を短縮する指令と、この指令にともなって演算手段により求めた時間情報を含めて時間短縮表示手段を介して前記表示制御手段に送り、
前記表示制御手段は、前記主制御手段から送られてきた前記指令に基づいて変動中の変動表示の表示時間を短縮するとともに、絵柄の停止速度を調節するようにしたことを特徴とする遊技機。
【請求項５】
請求項１から請求項４のいずれか一つに記載の遊技機において、
前記表示演出は、始動条件の成立に基づいて左絵柄群、右絵柄群および中絵柄群の変動表示を開始し、その後に特定の絵柄で停止して結果を表示する変動表示演出であり、
前記左絵柄群、右絵柄群および中絵柄群のうちで２つの絵柄群が変動停止した状態において、前記動作検出手段で遊技者による当該遊技機に対する特定動作が検出されると、その検出時点から変動終了までの時間を短縮して、その短縮された時間内で残りの一つの絵柄群が変動して予め決められた絵柄で停止する
ことを特徴とする遊技機。
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
始動条件成立に基づいて、遊技者にとって有利な遊技状態とするか否かを示す所定の表示演出を表示する表示手段を備えた遊技機において、
遊技者による抽選を許可する抽選許可条件の成立を検出する条件成立検出手段と、
遊技者による当該遊技機に対する特定動作を検出する動作検出手段と、
前記条件成立検出手段が抽選許可条件の成立を検出すると、前記動作検出手段での特定動作に基づいて、複数種類の表示演出の中から一の表示演出を抽選する抽選手段と、
を備え、
前記抽選手段は、
前記動作検出手段での動作検出に基づいて、実在する被対象物を放つ放出手段と、
前記放出手段から放たれた被対象物が到達した領域の示す表示演出をこれから実行すべき表示演出として決定する表示演出決定手段と、
を備えている
ことを特徴とする遊技機。
【請求項２】
請求項１に記載の遊技機において、
前記表示演出決定手段は、被対象物が入力される領域である入口部を複数個備え、当該入口部に表示されている、表示演出を示す表示情報を変更することを特徴とする遊技機。
【請求項３】
請求項１または２に記載の遊技機において、
さらに、前記抽選手段は、前記放出手段と前記入口部との間に、被対象物の挙動に変化を与える挙動付与部を備えていることを特徴とする遊技機。
【請求項４】
請求項３に記載の遊技機において、
さらに、前記抽選手段は、前記放出手段と前記入口部との間または前記放出手段自体に、被対象物を載せ特定方向に動くことが可能である可動手段を備えていることを特徴とする遊技機。
【請求項５】
請求項１から４のいずれか一つに記載の遊技機において、
前記表示演出は、始動条件が成立することに基づいて識別情報を変動表示し、その変動停止結果を表示することを含む変動表示演出であり、
前記表示手段は、前記変動表示演出を表示する識別情報変動表示手段である
ことを特徴とする遊技機。
【請求項６】
請求項５に記載の遊技機において、
始動条件成立に基づいて、前記識別情報変動表示手段に表示させるべき前記変動表示演出を決定し、この決定した変動表示演出の実行を指示する主制御手段と、
前記主制御手段からの指示に基づいて、前記主制御手段で決定された前記変動表示演出を前記識別情報変動表示手段に表示させるように表示制御する表示制御手段とを備え、
前記抽選手段は、抽選決定した変動表示演出を実行させるように前記主制御手段と前記表示制御手段との少なくとも一方に指示する
ことを特徴とする遊技機。
【請求項７】
請求項１から６のいずれか一つに記載の遊技機において、
さらに、前記放出手段は、遊技者による特定動作が前記動作検出手段で前記抽選許可条件の成立後から所定期間にわたって検出されない場合に、被対象物を自動的に放つ強制実行手段を備えていることを特徴とする遊技機。
【手続補正書】
【提出日】平成19年4月23日(2007.4.23)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  モータとヒータを有する画像形成装置において、
前記ヒータへの電力供給を行うヒータ制御部と、
前記モータの駆動を制御する制御信号を出力する制御部と、
前記制御信号に基づいて、前記ヒータ制御部による前記ヒータへの電力供給を停止させる電力供給停止手段と
を具えたことを特徴とする画像形成装置。
【請求項２】  前記モータにより駆動され、原稿を露光走査するためのフォワード方向の移動と露光走査後に前記フォワード方向の移動よりも高速でホームポジションへ戻るためのバック方向の移動を行う露光部を有し、
前記制御部は前記制御信号として、前記モータの駆動のオンとオフを制御する第１の制御信号と、前記露光部のフォワード方向の移動とバック方向の移動を指示する第２の制御信号を出力し、
前記電力供給停止手段は、前記第１の制御信号がオンで、前記第２の制御信号がバック方向の移動を指示している場合に、前記ヒータ制御部による前記ヒータへの電力供給を停止させることを特徴とする請求項１記載の画像形成装置。
【請求項３】  前記モータにより駆動され、原稿を露光走査するために移動を行う露光部を有し、
前記制御部は前記制御信号として、前記モータの駆動のオンとオフを制御する第１の制御信号と、前記露光部の移動を停止すべく前記モータへのブレーキを指示する第２の制御信号を出力し、
前記電力供給停止手段は、前記第１の制御信号がオンで、前記第２の制御信号がブレーキをかける指示している場合に、前記ヒータ制御部による前記ヒータへの電力供給を停止させることを特徴とする請求項１記載の画像形成装置。
【請求項４】  前記制御部は前記制御信号として、前記モータの駆動のオンとオフを指示する第１の制御信号と、前記モータが指示された速度に達していないアンロック状態と指示された速度に達したロック状態を示す第２の制御信号を出力し、
前記電力供給停止手段は、前記第１の制御信号がオンで、前記第２の制御信号がアンロック状態を示している場合に、前記ヒータ制御部による前記ヒータへの電力供給を停止させることを特徴とする請求項１記載の画像形成装置。
【手続補正３】
【補正対象書類名】明細書
【補正対象項目名】０００１
【補正方法】変更
【補正の内容】
【０００１】
【発明の属する技術分野】
本発明は、複写機等の画像形成装置に関する。
【手続補正４】
【補正対象書類名】明細書
【補正対象項目名】００２５
【補正方法】削除
【補正の内容】
【手続補正５】
【補正対象書類名】明細書
【補正対象項目名】００２７
【補正方法】変更
【補正の内容】
【００２７】
【課題を解決するための手段】
本発明は、モータとヒータを有する画像形成装置において、前記ヒータへの電力供給を行うヒータ制御部と、前記モータの駆動を制御する制御信号を出力する制御部と、前記制御信号に基づいて、前記ヒータ制御部による前記ヒータへの電力供給を停止させる電力供給停止手段とを具えたことを特徴とする。
【手続補正６】
【補正対象書類名】明細書
【補正対象項目名】００２８
【補正方法】変更
【補正の内容】
【００２８】
前記モータにより駆動され、原稿を露光走査するためのフォワード方向の移動と露光走査後に前記フォワード方向の移動よりも高速でホームポジションへ戻るためのバック方向の移動を行う露光部を有し、前記制御部は前記制御信号として、前記モータの駆動のオンとオフを制御する第１の制御信号と、前記露光部のフォワード方向の移動とバック方向の移動を指示する第２の制御信号を出力し、前記電力供給停止手段は、前記第１の制御信号がオンで、前記第２の制御信号がバック方向の移動を指示している場合に、前記ヒータ制御部による前記ヒータへの電力供給を停止させることを特徴とする。
【手続補正７】
【補正対象書類名】明細書
【補正対象項目名】００２９
【補正方法】変更
【補正の内容】
【００２９】
前記モータにより駆動され、原稿を露光走査するために移動を行う露光部を有し、前記制御部は前記制御信号として、前記モータの駆動のオンとオフを制御する第１の制御信号と、前記露光部の移動を停止すべく前記モータへのブレーキを指示する第２の制御信号を出力し、前記電力供給停止手段は、前記第１の制御信号がオンで、前記第２の制御信号がブレーキをかける指示している場合に、前記ヒータ制御部による前記ヒータへの電力供給を停止させることを特徴とする。
【手続補正８】
【補正対象書類名】明細書
【補正対象項目名】００３０
【補正方法】変更
【補正の内容】
【００３０】
前記制御部は前記制御信号として、前記モータの駆動のオンとオフを指示する第１の制御信号と、前記モータが指示された速度に達していないアンロック状態と指示された速度に達したロック状態を示す第２の制御信号を出力し、前記電力供給停止手段は、前記第１の制御信号がオンで、前記第２の制御信号がアンロック状態を示している場合に、前記ヒータ制御部による前記ヒータへの電力供給を停止させることを特徴とする。
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正書】
【提出日】平成19年4月18日(2007.4.18)
【手続補正１】
【補正対象書類名】明細書
【補正対象項目名】請求項５
【補正方法】変更
【補正の内容】
【請求項５】  駆動手段は、自己の位置検知手段を有し、使用量測定手段は前記位置検知手段の位置検知回数をカウントするカウンター手段であることを特徴とする請求項３または４に記載の画像形成システム。
【手続補正２】
【補正対象書類名】明細書
【補正対象項目名】００６２
【補正方法】変更
【補正の内容】
【００６２】
更に、シート搬送モードに関しては、図２２（ｄ）に示すように印字指定の有無に基づき印字モードの実行を選択し、また、出力束の最終紙であるか、ないかに基づきガイド揺動モードの実行を選択する。また、印字モードに関しては、同図（ｅ）に示すように印字モータ、搬送モータ、クラッチを制御することにより、主、副走査を行う。更に、連続シート上に付加情報を印字するガイド揺動モードに関しては、同図（ｆ）に示すように貼り付けモードを実行すると同時に、最終紙であるか否かを基に、揺動終了するかどうかを判断する。
【手続補正３】
【補正対象書類名】明細書
【補正対象項目名】００６４
【補正方法】変更
【補正の内容】
【００６４】
次に、センサＳ３に基づき揺動モータＭ１をＯＮし、第１及び第２揺動ガイド４０４、４０５を揺動させる（ＳＴＥＰ２）と同時に、センサＳ５及び印字情報を基に仕分けシート６０２を搬送、停止制御し、カッタモータをＯＮ，ＯＦＦし、切断した後（ＳＴＥＰ３、４）、シートＰの搬送モータＭ７と仕分けシート６０２の搬送モータＭ４を同時にＯＮすることにより、カットされた仕分けシート６０２をシートＰと共にローラ４０６にて挟持し、仕分けシート６０２をシートＰ背面に接着させる（ＳＴＥＰ５）。
【手続補正４】
【補正対象書類名】明細書
【補正対象項目名】００６７
【補正方法】変更
【補正の内容】
【００６７】
次に、本実施例の使用量測定機構について、図２５に基づき説明する。４５０はメモリ手段となるＩＣカードであり、画像形成装置３００に設けられたスロット４５１から挿入しセットされる。ＩＣカード４５０がセットされると、電気的にＣＰＵ３９０と接続され、このＣＰＵ３９０は、ＩＣカード４５０のメモリ情報を読み取り及び書き込みを行うことができる。また、ＣＰＵ３９０は表示部４５２と接続されており、ＩＣカード４５０から読み込んだ情報を表示部に表示できる。本構成ではカッター４１０の累計回転数が、シート後処理装置内の仕分けシート６０２の給送、カット、貼り付け装置等の使用量になる。カッターのホームポジションセンサ４５４はカウンター４５６、シート後処理装置のＣＰＵ４５３を介して画像形成装置のＣＰＵ３９０と接続されており、ホームポジションセンサ４５４のオン・オフ回数はカウンター４５６によってカウントされ、そのカウント信号はカッター４１０の累計回転数の情報として、上記ルートでＩＣカード４５０に書き込まれる。また、その情報はＣＰＵ３９０を介して表示部４５２に表示させることが出来、仕分けシート６０２の給送、カット、貼り付け装置の使用量を把握することが出来る。本構成ではＩＣカードを用いたが、フロッピーディスクやテープ等の可搬記憶媒体であってもよい。また本実施例では、仕分けシート給送、カット、貼り付け装置について述べたが、同様の方法で、他の高額ユニットについて実施しても同等の効果があることは言うまでもない。
【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
行方向配線及び列方向配線と該両配線に電気的に接続された電子放出素子とを少なくとも有する電子ビーム源を備えた第１プレートと、
前記電子ビーム源からの電子ビームを加速する電位が印加されるアノード、および前記アノードと間隔を置いて配置され、前記アノードよりも低い電位が印加される電位規定電極を備えた第２プレートと、
前記行方向配線または列方向配線に接触もしくは近接して電気的に接続する第１電極を有し、前記行方向配線又は列方向配線に平行に位置し且つ前記アノード及び電位規定電極の両方に接触して前記第１、第２プレート間に設けられた間隔部材とを有する画像表示装置において、
前記間隔部材は、前記電位規定電極と接触もしくは近接して該電位規定電極と電気的に接続される第２電極を更に有し、前記第１電極と前記第２電極とが電気的に接続されていることを特徴とする画像表示装置。
【請求項２】
前記間隔部材は、少なくとも前記アノードに接触する部分と前記電位規定電極に接触する部分との間に高抵抗膜を有することを特徴とする請求項１に記載の画像表示装置。
【請求項３】
前記高抵抗膜は、１０7Ω／□以上１０14Ω／□以下のシート抵抗であることを特徴とする請求項２に記載の画像表示装置。
【請求項４】
前記第１プレートに設けられた電子ビーム源はマトリクス状に配置されていることを特徴とする請求項１乃至３のいずれか１項に記載の画像表示装置。
【請求項５】
前記電子ビーム源は表面伝導型電子放出素子から構成されていることを特徴とする請求項１乃至４のいずれか１項に記載の画像表示装置。
【手続補正２】
【補正対象書類名】明細書
【補正対象項目名】００１３
【補正方法】変更
【補正の内容】
【００１３】
本願に関わる画像表示装置は以下のように構成される。即ち、行方向配線及び列方向配線と該両配線に電気的に接続された電子放出素子とを少なくとも有する電子ビーム源を備えた第１プレートと、前記電子ビーム源からの電子ビームを加速する電位が印加されるアノード、および前記アノードと間隔を置いて配置され、前記アノードよりも低い電位が印加される電位規定電極を備えた第２プレートと、前記行方向配線または列方向配線に接触もしくは近接して電気的に接続する第１電極を有し、前記行方向配線又は列方向配線に平行に位置し且つ前記アノード及び電位規定電極の両方に接触して前記第１、第２プレート間に設けられた間隔部材とを有する画像表示装置において、前記間隔部材は、前記電位規定電極と接触もしくは近接して該電位規定電極と電気的に接続される第２電極を更に有し、前記第１電極と前記第２電極とが電気的に接続されていることを特徴とする画像表示装置、である。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正書】
【提出日】平成19年7月24日(2007.7.24)
【手続補正１】
【補正対象書類名】特許請求の範囲
【補正対象項目名】請求項１
【補正方法】変更
【補正の内容】
【請求項１】
利用者間で共有されるファイルとファイルＩＤと前記ファイルを登録した登録日時及びその登録者と前記ファイルを変更した変更日時及びその変更者とを保持する第１のデータベースを記憶した第１の装置と、ファイル毎の前記ファイルの登録者、変更者及び前記ファイルの直近の閲覧者を保持する第２のデータベースを記憶する第２の装置と、伝送媒体を介して利用者の端末に接続され、前記第１のデータベース及び前記第２のデータベースを管理する管理装置を備えるシステムによって実行される情報フロー提供方法において、
前記管理装置の備えるデータベース管理手段が、前記端末から前記第１のデータベースに対して前記ファイルの登録、変更があった場合に前記ファイルの登録、変更があった旨のメッセージを前記管理装置の備える利用者間連携管理手段へ通知し、前記端末から前記第１のデータベースに対して前記ファイルの閲覧があった場合に前記ファイルの閲覧があった旨のメッセージを前記利用者間連携管理手段へ通知し、
前記管理装置の備える利用者間連携管理手段が、前記ファイルの登録、変更があった旨のメッセージを取得した場合に前記ファイルの登録、変更を行った登録者、直近の変更者を前記第２のデータベースに格納し、前記ファイルの閲覧があった旨のメッセージを取得した場合に前記ファイルの閲覧を行った閲覧者を前記第２のデータベースに格納し、
前記管理装置の備える利用者間連携管理手段が、前記端末からの要求に応答して、前記第２のデータベース内の前記ファイル毎のファイルの登録者、直近の変更者及びファイルの閲覧者を参照して、ファイルの登録者、直近の変更者を矢印の起点とし、ファイルの閲覧者を前記矢印の終点として、前記要求を行った利用者と前記ファイルの登録者、直近の変更者及び前記ファイルの閲覧者を前記矢印により結び、さらに、登録・変更あるいは利用されるファイルを前記矢印に近接又は重ねて表現することにより、前記ファイルを介した利用者間の依存関係を示す全体フローを作成し、前記端末へ出力し、
前記端末から前記第１のデータベースへの前記ファイルの登録は、前記端末のデータベースに蓄積された共有化前の操作中のファイルの前記第１のデータベースへの登録を含み、
前記第１のデータベースは、ファイルサイズも保持し、
前記管理装置の備える通知登録手段が、ファイルサイズの変化、更新又は前記ファイルサイズの変化、更新の履歴の設定を、前記端末から受け、前記設定を登録し、メッセージを前記管理装置の備える検知手段及び前記端末へ通知し、
前記管理装置の備える検知手段が、前記データベース管理手段を介して前記端末から設定された前記ファイルサイズの変化、更新又は前記ファイルサイズの変化、更新の履歴を検知し、
前記端末が、前記端末のデータベースに蓄積された前記共有化前の操作中のファイルのファイルサイズの変化、更新又はファイルサイズの変化、更新の履歴を検知することを特徴とする情報フロー提供方法。
【手続補正２】
【補正対象書類名】特許請求の範囲
【補正対象項目名】請求項５
【補正方法】変更
【補正の内容】
【請求項５】
利用者間で共有されるファイルとファイルＩＤと前記ファイルを登録した登録日時及びその登録者と前記ファイルを変更した変更日時及びその変更者とを保持する第１のデータベースを記憶した第１の装置と、ファイル毎の前記ファイルの登録者、変更者及び前記ファイルの直近の閲覧者を保持する第２のデータベースを記憶する第２の装置と、伝送媒体を介して利用者の端末に接続され、前記第１のデータベース及び前記第２のデータベースを管理する管理装置を備える情報フロー提供システムにおいて、
前記管理装置は、
前記端末から前記第１のデータベースに対して前記ファイルの登録、変更があった場合に前記ファイルの登録、変更があった旨のメッセージを利用者間連携管理手段へ通知し、前記端末から前記第１のデータベースに対して前記ファイルの閲覧があった場合に前記ファイルの閲覧があった旨のメッセージを前記利用者間連携管理手段へ通知するデータベース管理手段と、
前記ファイルの登録、変更があった旨のメッセージを取得した場合に前記ファイルの登録、変更を行った登録者、直近の変更者を前記第２のデータベースに格納し、前記ファイルの閲覧があった旨のメッセージを取得した場合に前記ファイルの閲覧を行った閲覧者を前記第２のデータベースに格納し、前記端末からの要求に応答して、前記第２のデータベース内の前記ファイル毎のファイルの登録者、直近の変更者及びファイルの閲覧者を参照して、ファイルの登録者、直近の変更者を矢印の起点とし、ファイルの閲覧者を前記矢印の終点として、前記要求を行った利用者と前記ファイルの登録者、直近の変更者及び前記ファイルの閲覧者を前記矢印により結び、さらに、登録・変更あるいは利用されるファイルを前記矢印に近接又は重ねて表現することにより、前記ファイルを介した利用者間の依存関係を示す全体フローを作成し、前記端末へ出力する前記利用者間連携管理手段とを備え、
前記端末から前記第１のデータベースへの前記ファイルの登録は、前記端末のデータベースに蓄積された共有化前の操作中のファイルの前記第１のデータベースへの登録を含み、
前記第１のデータベースは、ファイルサイズも保持し、
前記管理装置は、ファイルサイズの変化、更新又は前記ファイルサイズの変化、更新の履歴の設定を、前記端末から受け、前記設定を登録し、メッセージを検知手段及び前記端末へ通知する通知登録手段と、前記データベース管理手段を介して前記端末から設定された前記ファイルサイズの変化、更新又は前記ファイルサイズの変化、更新の履歴を検知する前記検知手段とを備え、
前記端末は、前記端末のデータベースに蓄積された前記共有化前の操作中のファイルのファイルサイズの変化、更新又はファイルサイズの変化、更新の履歴を検知する検知手段を備えることを特徴とする情報フロー提供システム。
【手続補正書】
【提出日】平成19年3月23日(2007.3.23)
【手続補正１】
【補正対象書類名】明細書
【補正対象項目名】発明の名称
【補正方法】変更
【補正の内容】
【発明の名称】デジタル放送受信機及びデジタル放送受信機の制御方法
【手続補正２】
【補正対象書類名】明細書
【補正対象項目名】特許請求の範囲
【補正方法】変更
【補正の内容】
【特許請求の範囲】
【請求項１】  放送波から、デジタルテレビジョン信号と、表示装置に表示するための画面データであるＧＵＩデータを受信する受信手段と、
前記受信手段によって受信された前記ＧＵＩデータを選択的にインストールするインストール手段と、
インストールされたＧＵＩデータを前記表示装置に表示する表示手段と、を有し、
前記インストール手段は前記受信手段によって受信したＧＵＩデータをインストールするか否かを利用者が選択するための選択画面を表示し、当該選択画面に対する利用者の入力に基づいて当該ＧＵＩデータのインストールの要否を決定することを特徴とするデジタル放送受信機。
【請求項２】  利用者の嗜好情報を記憶する記憶手段を有し、
前記ＧＵＩデータは当該ＧＵＩデータに関するキーワード情報を含み、
前記インストール手段は、前記キーワード情報が前記記憶手段に記憶された利用者の嗜好情報と合致する場合、前記受信手段によって受信されたＧＵＩデータをインストールすることを特徴とする請求項１に記載のデジタル放送受信機。
【請求項３】  前記インストール手段は、前記キーワード情報が前記利用者の嗜好情報に合致したことを利用者に告知する告知手段と、
利用者の指示に基づいて前記ＧＵＩデータのインストールの実行を決定する実行手段と、を有することを特徴とする請求項２に記載のデジタル放送受信機。
【請求項４】  前記キーワード情報はリモコンの特性情報であり、
前記嗜好情報は利用者のリモコン操作の傾向情報であり、
前記インストール手段は、前記特性情報と前記傾向情報との比較に基づいて、インストールするＧＵＩデータを選択することを特徴とする請求項３に記載のデジタル放送受信機。
【請求項５】  放送波から、デジタルテレビジョン信号と、表示装置に表示するための画面データであるＧＵＩデータを受信する受信ステップと、
前記受信ステップで受信された前記ＧＵＩデータを選択的にインストールするインストールステップと、
インストールされたＧＵＩデータを前記表示装置に表示する表示ステップと、を有し、
前記インストールステップは前記受信ステップで受信したＧＵＩデータをインストールするか否かを利用者が選択するための選択画面を表示し、当該選択画面に対する利用者の入力に基づいて当該ＧＵＩデータのインストールの要否を決定することを特徴とするデジタル放送受信機の制御方法。
【請求項６】  利用者の嗜好情報を記憶部に記憶する記憶ステップを有し、
前記ＧＵＩデータは当該ＧＵＩデータに関するキーワード情報を含み、
前記インストールステップでは、前記キーワード情報が前記記憶部に記憶された利用者の嗜好情報と合致する場合、前記受信ステップで受信したＧＵＩデータをインストールすることを特徴とする請求項５に記載のデジタル放送受信機の制御方法。
【請求項７】  前記インストールステップでは、前記キーワード情報が前記利用者の嗜好情報に合致したことを利用者に告知する告知ステップと、
利用者の指示に基づいて前記ＧＵＩデータのインストールの実行を決定する実行ステップと、を有することを特徴とする請求項６に記載のデジタル放送受信機の制御方法。
【請求項８】  前記キーワード情報はリモコンの特性情報であり、
前記嗜好情報は利用者のリモコン操作の傾向情報であり、
前記インストールステップでは、前記特性情報と前記傾向情報との比較に基づいて、インストールするＧＵＩデータを選択することを特徴とする請求項７に記載のデジタル放送受信機の制御方法。
【手続補正３】
【補正対象書類名】明細書
【補正対象項目名】０００１
【補正方法】変更
【補正の内容】
【０００１】
【発明の属する技術分野】
本発明は、デジタル放送受信機及びデジタル放送受信機の制御方法に関するものである。
【手続補正４】
【補正対象書類名】明細書
【補正対象項目名】０００７
【補正方法】変更
【補正の内容】
【０００７】
【課題を解決するための手段】
本発明のデジタル放送受信機は、放送波から、デジタルテレビジョン信号と、表示装置に表示するための画面データであるＧＵＩデータを受信する受信手段と、前記受信手段によって受信された前記ＧＵＩデータを選択的にインストールするインストール手段と、インストールされたＧＵＩデータを前記表示装置に表示する表示手段と、を有し、前記インストール手段は前記受信手段によって受信したＧＵＩデータをインストールするか否かを利用者が選択するための選択画面を表示し、当該選択画面に対する利用者の入力に基づいて当該ＧＵＩデータのインストールの要否を決定することを特徴とする。
また、本発明のデジタル放送受信機の制御方法は、放送波から、デジタルテレビジョン信号と、表示装置に表示するための画面データであるＧＵＩデータを受信する受信ステップと、前記受信ステップで受信された前記ＧＵＩデータを選択的にインストールするインストールステップと、インストールされたＧＵＩデータを前記表示装置に表示する表示ステップと、を有し、前記インストールステップは前記受信ステップで受信したＧＵＩデータをインストールするか否かを利用者が選択するための選択画面を表示し、当該選択画面に対する利用者の入力に基づいて当該ＧＵＩデータのインストールの要否を決定することを特徴とする。
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
無線回線を介して受信した着信信号に基づいて着信音を発生する着信音発生手段と、
無線回線を介して受信した音声信号を音声に変換して発音する音声発音手段と、
マイクロフォンから出力される音声信号を搬送波に乗せて発信する音声発信手段とを具備する携帯端末において、
２チャンネルの楽音信号を出力する楽音信号発生手段と、
該携帯端末を通常使用する向きで把持したユーザから見て左右方向となる向きに近接して並んで配置され、前記２チャンネルの楽音信号がそれぞれ印加される第１、第２のスピーカと、
を具備してなる携帯端末。
【請求項２】
前記着信音発生手段は、前記第１のスピーカによって着信音を発生し、前記音声発生手段は前記第２のスピーカによって音声を発音することを特徴とする請求項１に記載の携帯端末。
【請求項３】
前記楽音信号発生手段は、クロストークキャンセル回路を具備することを特徴とする請求項１または請求項２に記載の携帯端末。
【手続補正２】
【補正対象書類名】明細書
【補正対象項目名】発明の名称
【補正方法】変更
【補正の内容】
【発明の名称】携帯端末
【手続補正３】
【補正対象書類名】明細書
【補正対象項目名】０００１
【補正方法】変更
【補正の内容】
【０００１】
この発明は、電話の機能と音楽プレーヤの機能を共に有する携帯端末に関する。
【手続補正４】
【補正対象書類名】明細書
【補正対象項目名】０００３
【補正方法】変更
【補正の内容】
【０００３】
この発明は、このような事情を考慮してなされたもので、その目的は電話の機能と音楽プレーヤの機能を共に有する携帯端末を提供することにある。
【手続補正５】
【補正対象書類名】明細書
【補正対象項目名】０００４
【補正方法】変更
【補正の内容】
【０００４】
上記の目的を達成するために、請求項１に記載の発明は、無線回線を介して受信した着信信号に基づいて着信音を発生する着信音発生手段と、無線回線を介して受信した音声信号を音声に変換して発音する音声発音手段と、マイクロフォンから出力される音声信号を搬送波に乗せて発信する音声発信手段とを具備する携帯端末において、２チャンネルの楽音信号を出力する楽音信号発生手段と、該携帯端末を通常使用する向きで把持したユーザから見て左右方向となる向きに近接して並んで配置され、前記２チャンネルの楽音信号がそれぞれ印加される第１、第２のスピーカとを設けたことを特徴とする。
【手続補正６】
【補正対象書類名】明細書
【補正対象項目名】０００５
【補正方法】変更
【補正の内容】
【０００５】
また、請求項２に記載の発明は、請求項１に記載の携帯端末において、前記着信音発生手段は、前記第１のスピーカによって着信音を発生し、前記音声発生手段は前記第２のスピーカによって音声を発音することを特徴とする。
また、請求項３に記載の発明は、請求項１または請求項２に記載の携帯端末において、前記楽音信号発生手段は、クロストークキャンセル回路を具備することを特徴とする。
【手続補正７】
【補正対象書類名】明細書
【補正対象項目名】０００６
【補正方法】変更
【補正の内容】
【０００６】
この発明によれば、携帯端末に２チャンネルの楽音信号を出力する楽音信号発生手段と、該携帯端末を通常使用する向きで把持したユーザから見て左右方向となる向きに近接して並んで配置され、２チャンネルの楽音信号がそれぞれ印加される第１、第２のスピーカとを設けたので、電話の機能と音楽プレーヤの機能を共に有する携帯端末を提供することができる。